(57)【要約】  作業能率の良い容器を提供する。  容器（１００）の外側面又は周縁部の一部に、母指（ａ）と示指（ｂ）の合流部分に係止される母指係止部（１０）が設けられている。この母指係止部（１０）とは所定間隔を有するように、母指（ａ）がその内側で引っ掛かる母指載置部（２０）が容器（１００）の外側面又は周縁部の他部に設けられている。容器（１００）には、母指係止部（１０）と母指載置部（２０）との間に、母指球と当接して容器（１００）を支える母指支持部（３０）が設けられている。
2016098165.tif 000002
【特許請求の範囲】
【請求項１】
容器から突出するように設けられ、母指と示指の合流部分に係止される母指係止部と、
該母指係止部とは所定間隔を有するように前記容器に設けられ、母指がその内側で引っ掛かる母指載置部とを備えていることを特徴とする容器。
【請求項２】
前記母指係止部と前記母指載置部との間に設けられ、母指球と当接して容器を支える母指支持部とを備えていることを特徴とする請求項１記載の容器。
【請求項３】
前記母指係止部と前記母指載置部とのいずれか一方又は両方に設けられ、示指に当接する係止保持部とを備えていることを特徴とする請求項１又は２に記載の容器。
【請求項４】
前記母指係止部と容器との間に設けられ、薬指と小指のいずれか一方又は両方が把持可能な他指把持部とを備えていることを特徴とする請求項１から３のいずれかに記載の容器。
【発明の詳細な説明】
【技術分野】
【０００１】
本発明は、紙・プラスチック・金属などでつくられる容器に関する。
【背景技術】
【０００２】
一般に、容器には一般用のものや、身障者用のものや、業務用のものなど、様々な用途のものがある。たとえば、業務用のものにおいては、理容または美容院等で用いる、染髪液等の薬液を入れるための容器がある。【０００３】
従来、美容院等で染髪を行う場合、例えば染髪薬剤を入れた容器をワゴンに乗せておき、ワゴンを手元の近い所に移動させながら、該容器から薬液を刷毛に付けて客の頭髪に繰り返し塗布していた。【０００４】
この方法では、薬液容器と頭髪の距離が遠く、作業能率が悪かった。この染髪作業を能率よく行うための道具として、たとえば、特許文献１に記載の理美容用腕容器が提案されている。【０００５】
この理美容用腕容器は、手首に止めるバンドと、該バンドにファスナを介して着脱自在に取り付ける、染髪液等の薬液を溜めておくための容器本体からなるものである（特許文献１（請求項１、図１）参照）。
【先行技術文献】
【特許文献】
【０００６】
【特許文献１】特開２００２−３６０３３５号公報
【発明の概要】
【発明が解決しようとする課題】
【０００７】
しかしながら、従来の理美容用腕容器においては、容器本体を手の甲に載せた状態で作業をしなければならず、安定性が悪い。このため、依然として作業能率が悪い。【０００８】
染髪作業は、一方の手で客の頭髪をまとめたり、又は頭髪を束ねる紐を摘まんだりしながら、他方の手で刷毛を頭髪に沿って染髪していく。この作業において、従来の理美容腕容器では、その一方の手の甲を常に水平状態に維持しつつ作業をしなければならない。これは容易にはできない。腕容器内の染髪薬液を床にこぼしてしまうことがある。【０００９】
たとえば、腕を回転させた場合には、容器内の染髪薬液がこぼれてしまう。薬剤をこぼさないようにするため、慎重に作業をせざるを得ない。【００１０】
そのため、従来の理美容用腕容器においては、依然として時間短縮ができなかった。このように、作業の際の安定性が悪く、染髪薬剤を床にこぼしてしまうという不測の事態が生じ得た。さらに、バンドを手首に止めなければならないので、脱着が煩雑であった。【００１１】
そこで、上記のような課題に鑑み、その課題を解決すべく、本発明の目的とするところは、作業能率の良い容器を提供することにある。
【課題を解決するための手段】
【００１２】
本発明の請求項１記載の容器は、容器から突出するように設けられ、母指と示指の合流部分に係止される母指係止部と、該母指係止部とは所定間隔を有するように前記容器に設けられ、母指がその内側で引っ掛かる母指載置部とを備えていることを特徴とする。【００１３】
本発明の請求項２記載の容器は、請求項１記載の容器において、前記母指係止部と前記母指載置部との間に設けられ、母指球と当接して容器を支える母指支持部とを備えていることを特徴とする。【００１４】
本発明の請求項３記載の容器は、請求項１又は２に記載の容器において、前記母指係止部と前記母指載置部とのいずれか一方又は両方に設けられ、示指に当接する係止保持部とを備えていることを特徴とする。【００１５】
本発明の請求項４記載の容器は、請求項１から３のいずれかに記載の容器において、前記母指係止部と容器との間に設けられ、薬指と小指のいずれか一方又は両方が把持可能な他指把持部とを備えていることを特徴とする。
【発明の効果】
【００１６】
本発明の請求項１記載の容器によれば、容器から突出するように設けられ、母指と示指の合流部分に係止される母指係止部と、この母指係止部とは所定間隔を有するように容器に設けられ、母指がその内側で引っ掛かる母指載置部とを備えているので、母指を母指載置部の内側に入れて引っ掛けることができるとともに母指と示指の合流部分に母指係止部が係止して容器が手から滑り落ちることを防止することができる。このため、容器のすぐ近くで作業ができ、作業能率が良いという効果を奏する。【００１７】
本発明の請求項２記載の容器によれば、請求項１記載の容器の奏する効果に加えて、母指球と当接して容器を支える母指支持部が、母指係止部と母指載置部との間に設けられているので、母指球が母指支持部に当接して容器を支えることができるという効果を奏する。【００１８】
本発明の請求項３記載の容器によれば、請求項１又は２に記載の容器の奏する効果に加えて、示指に当接する係止保持部が、母指係止部と母指載置部とのいずれか一方又は両方に設けられているので、示指が係止保持部に当接して容器の係止状態を保持することができるという効果を奏する。【００１９】
本発明の請求項４記載の容器によれば、請求項１から３のいずれかに記載の容器の奏する効果に加えて、薬指と小指のいずれか一方又は両方が把持可能な他指把持部が、母指係止部と容器との間に設けられているので、薬指と小指のいずれか一方又は両方で他指把持部を把持することができるという効果を奏する。
【図面の簡単な説明】
【００２０】
【図１】図１は容器の一の実施形態を示す斜視図である。
【図２】図２は図１のＡ−Ａ線における断面図である。
【図３】図３は容器の使用方法を示す斜視図である。
【図４】図４は容器の他の実施形態を示す斜視図である。
【発明を実施するための形態】
【００２１】
以下、図面を参照しながら、本発明を実施するための形態を説明する。図１は、頭髪をまとめたり、紐を摘まんだりしながら行う染髪作業に好適な染料容器の一の実施形態を示す図である。
（実施の形態１）
【００２２】
染料容器１００は、理容または美容院等で用いられ、染髪液や染髪固形物等の染料を入れるために用いられる。染料容器１００は、合成樹脂製からなる。この染料容器１００は、たとえば、ポリプロピレン又は高密度ポリエチレンなどから一体成形されている。これ以外に、染料容器１００は、陶磁器製、木製、紙製、金属製などの何れであっても構わない。
【００２３】
本実施形態の染料容器１００は、斜め下方から使用者の母指（第１指）を挿入する母指挿入孔１を有する把手手段と、容器本体６０とを備えている。この把手手段は、容器本体６０の外側面又は周縁部の一部に連設されており、母指挿入孔１の周縁に、母指係止部１０と、母指載置部２０と、母指支持部３０と、係止保持部４０と、他指把持部５０とを備えている。
【００２４】
母指係止部１０は、図１に示すように、容器本体６０の外側に張り出すように、容器本体６０から斜めに突出する。その突出角度は、およそ１０度から８０度の範囲内から選択することができ、好ましくは３０度から６０度程度の範囲から選択することができる。
【００２５】
この母指係止部１０を、略水平方向から大きく角度をもたせてやや立ち気味に斜め上方に突出させて設けたほうが、より好ましい。この場合には、母指挿入孔１に挿入される使用者の母指と、その示指（第２指）の合流部に、母指係止部１０が係止された状態のときに、掌を広げた自然状態で容器本体６０の上縁部を略水平に近い状態としやすい。
【００２６】
また母指係止部１０は、使用者の母指と示指の合流部分に係止されやすいように、横断面略逆Ｕ字状又は横断面略逆Ｊ字状に形成されている。母指挿入孔１は、略斜め長円状に形成されており、その長軸の一方に母指係止部１０が設けられ、その他方に母指載置部２０が設けられている。
【００２７】
母指載置部２０は、母指係止部１０とは所定間隔を有するように、母指挿入孔１を挟んで、容器本体６０の外側面若しくは上縁部の他部に設けられている。この母指載置部２０は、使用者の母指中手骨がその内側で引っ掛かるように縦断面略逆Ｕ字状又は縦断面略逆Ｊ字状の縦断面略フック状に形成されている。
【００２８】
母指載置部２０の内側には、使用者の母指、特にその母指中手骨が内側で引っ掛かる程度のスペースが形成されている。母指載置部２０は、母指係止部１０の横断面略逆Ｕ字状又は横断面略逆Ｊ字状の先端部に向けて所定の傾斜角を有して設けられている。
【００２９】
母指載置部２０の傾斜角によって、母指載置部２０に引っ掛けられた母指の軸線と容器本体６０の上面とのなす角度を形成する。その角度は、およそ１０度から７０度の範囲内とされている。そして、図１において、母指挿入孔１を有して母指係止部１０と母指載置部２０とが連設されている。
【００３０】
この母指載置部２０の周縁部には、弾性樹脂を備えていてもよい。この場合には、使用者の指の太さや形状が異なっても、その母指の周縁に密着しやすい。母指と母指載置部２０とが密着した状態のときには、容器本体６０がぐらつきにくい。
【００３１】
一方、容器本体６０の周縁の一部には、母指係止部１０との間において、他指把持部５０が設けられている。他指把持部５０は、使用者の薬指（第４指）と小指（第５指）のいずれか一方又は両方が把持可能な面積を有する部位である。他指把持部５０は、斜め下方にやや窪んだ凹部状に形成されている。他指把持部５０に母指支持部３０が連設されている。
【００３２】
母指支持部３０は、母指挿入孔１の周縁下方に位置し、母指係止部１０と母指載置部２０との間であって、母指挿入孔１と容器本体６０との間に設けられている。図２は、図１のＡ−Ａ線における断面図である。母指支持部３０は、図２に示すように、上方が略斜め凸状となるように緩やかに湾曲された湾曲部３１を備えている。
【００３３】
湾曲部３１は、母指支持部３０の上方に形成されている。湾曲部３１及び母指支持部３０は、使用者の母指球に沿って当接できるように緩やかな円弧状とされている。このようにして、染料容器１００は、母指支持部３０が使用者の母指球と当接して斜め側方から支えられる。
【００３４】
係止保持部４０は、母指係止部１０と母指載置部２０との両方に連続するように設けられており、それら母指係止部１０と母指載置部２０の側方に張り出しながら斜め下向きに円弧状に湾曲されて形成されている。この係止保持部４０の内側には、使用者の示指に当接するように当接面４１が形成されている。
【００３５】
当接面４１の面積が広ければ広いほど、容器本体６０のぐらつきは少なく、指を離した状態でも染料容器１００が安定する。
【００３６】
容器本体６０は、図２に示すように、下方が凸となる縦断面略半円弧状であって、図２に示す左右非対称に形成されている。すなわち、母指係止部１０が設けられている容器本体６０の一方側には、比較的急峻な立ち上がり斜度を有する急峻壁６１が形成されている。
【００３７】
他方、母指係止部１０が設けられていない容器本体６０の他方側には、容器本体６０の底面６２から比較的緩やかな円弧状に湾曲されて形成されている。そして、この他方側から一方側の容器本体６０の上縁部の半周には、外側に張り出しながら斜め上方に傾斜する傾斜部６３が設けられている。
【００３８】
その底面６２は、比較的平坦なフラット面を備えている。このため、染料容器１００は、それ自体で自立することができる。
【００３９】
次に、染料容器１００の使用方法について、図３を用いて説明する。図３は、染料容器１００の使用方法を示す斜視図である。
【００４０】
染料容器１００に収容された染料薬剤を客の頭髪に塗布する際には、染料容器１００の下方から母指挿入孔１に使用者の母指ａを挿入する。この場合、図３において、使用者の左手の母指ａと示指ｂとの間、より具体的には母指ａと示指ｂとの合流点において母指係止部１０が引っ掛かり係止される。
【００４１】
この母指ａを立てたサムアップの状態、すなわち掌を水平状態ではなく垂直状態で、上方に左手を上げることで、ワゴンに乗せられた染料容器１００を持ち上げることができる。このとき、母指ａの母指中手骨が母指載置部２０の内側に入って、母指載置部２０の内側に母指中手骨が引っ掛かる。
【００４２】
このように、母指挿入孔１に入れた母指ａによって染料容器１００は母指ａと示指ｂの合流点と母指中手骨との２点で母指ａに引っ掛かり、染料容器１００は手から滑り落ちることがない。このため、染料容器１００によれば、ワゴンから容易に持ち上げられて常に客の頭髪に近接した状態で作業をすることができる。
【００４３】
染料が入れられた染料容器１００が染髪をされる客の頭部に近接した状態にあるため、染料容器１００から客の頭髪までの刷毛の作業距離が短くて済む。このため、作業時間を短く済ませることができる。つまり、染髪作業の時間短縮ができる。また客の頭部に近接した状態で作業できるので、染料を床等にこぼす等の不測の事態を防止することができる。
【００４４】
この作業の際に、母指ａ以外の、示指ｂ、中指（第３指）ｃ、薬指ｄ、小指ｅの４本の指は、染料容器１００から離した状態とすることができる。染料容器１００は、母指ａと示指ｂの合流点と母指中手骨との２点で母指ａに係止されて、染料容器１００は手から滑り落ちることがないからである。
【００４５】
母指ａ以外の４指は、染料容器１００を下方から支持することもできる。また、それら４指又はいずれかの指で、他の物を引っ掛ける等の作業をすることができる。たとえば、染髪作業をする際に、母指挿入孔１に挿入された側の手の母指ａ以外の指で、客の頭髪をまとめたり、又は頭髪を束ねる紐を摘まむ作業ができる。
【００４６】
あるいは、母指ａ以外の４指で、染髪用の刷毛を持ち替える等の作業をすることもできる。このようにして、染料容器１００を片手で保持して客の頭髪に近接させた状態のまま、染髪作業が容易にできる。たとえば、染料容器１００を保持した手に引っ掛けた紐等を一方の手で外して、頭髪を束ねるようにして染料容器１００から直接頭髪に染料を塗布する作業を、両手を客の頭部に近接させたまま行うことができる。
【００４７】
また、染料容器１００によれば、母指挿入孔１に挿入された母指ａの軸線と容器本体６０の上面とのなす角度が１０度から７０度の角度とされているので、腕を曲げて、染料容器１００を支持した状態で、容器本体６０の上縁部が略水平に近い状態としやすい。このように、自然に構えた状態で作業ができるので、その作業が容易であるとともに疲れが少なくて済む。
【００４８】
また、染料容器１００によれば、母指支持部３０は、上方が斜め凸となるように緩やかに湾曲された半円弧状の湾曲部３１を備えているので、作業の際に掌を垂直状態から多少傾けた傾斜状態においても、母指支持部３０が母指球に当接するようにして染料容器１００を３点で安定して保持することが容易にできる。
【００４９】
このようにして、作業の際に染料容器１００を保持することができるので、指に負担がかからず、長時間使用しても疲れにくい。たとえ指の力が弱まった障害者や高齢者自身であっても、染料容器１００を安定して保持することが容易であり、安定性が良い。
【００５０】
また、染料容器１００によれば、さらに他指把持部５０を備えているので、母指挿入孔１に挿入された側の手の薬指ｄと小指ｅのいずれか一方又は両方で他指把持部５０を把持して染料容器１００の保持状態をさらに安定にすることができる。
【００５１】
この場合には、母指挿入孔１に挿入された側の手首と腕との角度を持たせるようにコックを効かせた前傾状態又は後傾状態にしても染髪薬剤を床にこぼしてしまうという不測の事態を防止することができる。たとえば、客の頭髪に向けて染料容器１００を前傾させて傾斜部６３をさらに近接した状態で染髪作業ができる。
【００５２】
また、染料容器１００によれば、容器本体６０の一方側に急峻壁６１が形成されているので、例えば染料容器１００を急峻壁６１側に倒す後傾状態にしても、染料容器１００内の染料がこぼれることなく、作業をすることができる。
【００５３】
以上のように、染料容器１００によれば、染料容器１００を保持している手首を、やや前傾状態、やや後傾状態、左右方向の何れかに、ある程度傾斜させても、染料容器１００がしっかり保持された状態を維持できるので、染料がこぼれることを防止することができる。したがって、作業に合わせて両手、両指を効率的に使用して、安定的に作業をすることができる。
【００５４】
さらに、染料容器１００によれば、容器本体６０が底面６２を備えているので、それ自体が自立できる。このため、作業を終了する際には、ワゴン等の作業台の上に置いた染料容器１００の母指挿入孔１から母指ａを抜けばよく、脱着作業が容易にできる。
【００５５】
なお、上記実施の形態においては、縦断面略半円弧状の容器本体６０を備えた染料容器１００に適用した例を示したが、何らこれに限定されるものではない。たとえば、容器本体６０を略平板状のパレットとすることができる。この場合には、毛染めマニキュア作業用パレットに好適である。このように、染料容器１００の用途は限定されない。
【００５６】
また、上記実施の形態においては、母指挿入孔１を有して母指係止部１０と母指載置部２０とが連設されているものであるが、何らこれに限定されない。たとえば、母指係止部１０と母指載置部２０とが離間して設けられていてもよい。たとえば、それらの間に母指挿入孔１に連続する切欠き部を形成してもよい。
（実施の形態２）
【００５７】
図４は、他の実施形態の容器を示す斜視図である。図４において、容器は、例えば介護が必要な高齢者、身障者、幼児、小さな子供が食事をとりたい場合に、介助者や家族等の手で掴んだ容器が簡単に滑り落ちないようにして食事をとりたい人の口の近傍で給仕を行えるように使いやすくした身障者用カップ２００である。身障者用カップ２００は、例えば陶磁器やプラスチック製からなる。これ以外にも木製や紙製でつくられることもある。
【００５８】
身障者用カップ２００は、図４に示すように、母指挿入孔２０１の周縁に、母指係止部２１０と、母指載置部２２０と、母指支持部２３０と、係止保持部２４０と、容器本体２５０とを備えている。なお、図１と対応する部分に同一参照番号を付して示す。
【００５９】
母指係止部２１０は、容器本体２５０からの突出角度が、およそ２０度から４０度の範囲内から選択されており、実施の形態１の染料容器１００と比べて、やや寝かせ気味に斜め上方に突出させて設けてある。
【００６０】
そして母指係止部２１０は、容器本体２５０の外側面又は周縁の一部から上方に向けて縦断面略逆Ｕ字状又は縦断面略逆Ｊ字状に形成されている。母指挿入孔２０１は、母指係止部２１０の縦断面略逆Ｕ字状又は縦断面略逆Ｊ字状に沿って貫通しており、母指ａが挿入可能とされている。
【００６１】
母指載置部２２０は、母指挿入孔２０１を挟んで母指係止部２１０より上方に外側に張り出すように容器本体２５０の外側面若しくは上縁部の他部に設けられている。母指載置部２２０は、母指係止部２１０とは所定間隔を存して連結されている。この連結によって母指係止部２１０の先端部に捻りが加わったような状態となっている。母指載置部２０の傾斜角は、およそ２０度から４０度の範囲内とされている。
【００６２】
母指支持部２３０には、断熱部材が設けられている。この断熱部材は、身障者用カップ２００に温度の高い液体等の内容物を入れた場合に、使用者の手に熱を通しにくくする作用を有するものである。
【００６３】
係止保持部２４０は、実施の形態１と同様、当接面４１が形成されている。当接面４１の面積が広ければ広いほど、容器本体２５０のぐらつきは少なく、指を離した状態でも身障者用カップ２００が安定することは、実施の形態１と同様である。
【００６４】
容器本体２５０は、その下方部を円弧状に湾曲する湾曲面２５２を備えている。湾曲部２５２は、全周にわたって左右対称形の形状である。
【００６５】
身障者用カップ２００を用いて給仕を行う場合には、例えばご飯（ライス）あるいは粥が盛られた身障者用カップ２００を介助者の手で掴む。この場合、介助者の母指ａを母指挿入孔２０１に挿入する。母指挿入孔２０１に母指ａを入れることによって、身障者用カップ２００を掴む手が滑っても母指係止部２１０と母指載置部２２０の内側で母指ａが引っ掛かって落ちることがない。
【００６６】
母指係止部２１０の突出角度は、およそ２０度から４０度の範囲内から選択されているので、母指ａを寝かせ気味の状態で使用しやすい。また、母指載置部２０の傾斜角は、およそ２０度から４０度の範囲内とされているので、その母指ａに密着することができる。
【００６７】
この状態で身障者用カップ２００を保持したときに、他の指、例えば示指ｂ、中指ｃ、薬指ｄ、小指ｅを、容器本体２５０の上縁より下部で外側に沿わせて保持することができる。そうすると、これら他指が容器本体２５０の上縁より出ることがなく、衛生的に給仕できる。
【００６８】
また身障者用カップ２００によれば、湾曲面２５２を備えているので、容器本体２５０の下方部全体を、掌を上にして支えるようにすることができる。また、掌で安定して保持することもできる。
【００６９】
このように身障者用カップ２００を掌に載せるようにして保持した場合には、指に負担がかからず長時間使用していても疲れにくい。このため、指の力が弱まった障害者や高齢者自身等であっても、身障者用カップ２００を安定して保持することができる。
【００７０】
なお、容器本体２５０の湾曲面２５２に高台を設けてもよい。この場合には、身障者用カップ２００は、それ自体で自立することができるので、不使用の際にテーブル等に置くことができる。また、高台の接地面に滑止材を設けた構成としてもよい。この場合には、食事中に身障者用カップ２００がテーブル上で滑ることを防止することができる。
【００７１】
また、上記実施の形態において、別の容器を、容器本体６０，２５０に載置して容器保持器として使用することができる。また、上記実施の形態１，２においては、把手手段と、容器本体６０．２５０とが一体成形されたものについて説明したが、何らこれに限定されるものではない。
【００７２】
たとえば、把手手段と容器本体６０，２５０とが分離可能とされていてもよい。この場合には、用途にあわせて、容器本体６０，２５０を大きさ、形状等の異なるものに変更できる。そうすると、異なる形状の容器本体に取り換えて作業することができるので、例えば、その都度、染料容器、身障者用カップ、マニキュア用平板部材に交換可能である。また、劣化、汚損した場合に、その部分だけを交換することができる。
【００７３】
さらに、把手手段が容器本体に対して軸動可能とされていてもよい。この場合には、使用者の体格に応じて、角度調整をすることができる。たとえば、軸動機構を有する軸動部を備えている場合には、容器本体６０，２５０は、使用者が腕の角度を変えても容器本体６０，２５０は水平に保つことができる。
【符号の説明】
【００７４】
１，２０１  母指挿入孔
１０、２１０  母指係止部
２０，２２０  母指載置部
３０，２３０  母指支持部
４０，２４０  係止保持部
５０          他指把持部
１００          染料容器（容器）
２００          身障者用カップ（容器）
【図１】
2016098165.tif 000003
【図２】
2016098165.tif 000004
【図３】
2016098165.tif 000005
【図４】
2016098165.tif 000006
【国際調査報告】
2016098165.tif 000007
2016098165.tif 000008
2016098165.tif 000009
2016098165.tif 000010